(57)【要約】【課題】可撓性シートで構成される屋根部分を容易に開閉できるとともに、容易に取り付け、取り外しができる屋根付き簡易建築物を提供する。【解決手段】立設された支柱３とこの支柱３の上端部から横方向に延びるアーム部４とから略逆Ｌ字状に形成されたフレーム部材１が間隔をおいて複数個設けられ、これらのフレーム部材１の内側に屋根を構成する可撓性シート２が張り渡されている屋根付き簡易建築物であり、各フレーム部材１にはそれぞれ、先端部と先端部から所定間隔をおいた位置とに係止部材１１，１３が設けられ、これらの係止部材１１，１３に、ロープ１７が移動可能に挿通されており、可撓性シート２は、フレーム部材１の先端側の端部がロープ１７に係止部材１１，１３間において着脱自在に取り付けられているとともに、フレーム部材１の基端側の端部がフレーム部材１の基端側の係止部材１３に着脱自在に取り付けられている。【選択図】図３
2007270495.tif 000002
【特許請求の範囲】
【請求項１】
立設された支柱とこの支柱の上端部から横方向に延びるアーム部とから略逆Ｌ字状に形成されたフレーム部材が間隔をおいて複数個設けられ、これらのフレーム部材の内側に屋根を構成する可撓性シートが張り渡されている屋根付き簡易建築物であり、
前記各フレーム部材にはそれぞれ、先端部と先端部から所定間隔をおいた位置とに係止部材が設けられ、これらの係止部材に、索状部材が移動可能に挿通されており、
前記可撓性シートは、前記フレーム部材の先端側の端部が前記索状部材に前記係止部材間において着脱自在に取り付けられているとともに、前記フレーム部材の基端側の端部が前記フレーム部材の基端側の係止部材または該係止部材近傍の前記フレーム部材に着脱自在に取り付けられていることを特徴とする屋根付き簡易建築物。
【請求項２】
前記フレーム部材の基端側の係止部材は、前記支柱の上端部分に設けられていることを特徴とする請求項１に記載の屋根付き簡易建築物。
【発明の詳細な説明】
【技術分野】
【０００１】
本発明は、例えば、カーポート、テラス、バルコニー、パーゴラ、サイクルポートなどのような屋根付き簡易建築物に関する。
【背景技術】
【０００２】
このような屋根付き簡易建築物として、従来、例えば、特許文献１には、カーポート、テラス、サイクルポートなどのオーニング構造物が提案されている。このオーニング構造物は、支柱の上端部に支持されたルーフ枠体に1枚の可撓性シート材を張設するとともに、可撓性シートにテンションを付与するテンション機構を設けたもので、骨組材等の部材が不要になるとともに、常に所定の張力の引っ張って可撓性シート材の緩みを防ぎ、外観性を高めることを目的とするものである。
【０００３】
また、特許文献２には、カーポートあるいはパーゴラなどのように、住宅あるいは建物の屋外空間に構築するもので、柱と梁との構築物の上部に、テント布を巻き取り可能にした開閉式テントを設けるとともに、側部にテントあるいはフェンス等による開閉壁を設けてなる開閉機能付き多目的空間構造物が提案されている。
【０００４】
また、特許文献３には、一対の支柱により支持された屋根体を有する屋根ユニットであって、屋根体を、支柱の上端部に連結された金属パイプからなる天板支持部材と、屋根天板と、この屋根天板を天板支持部材に垂下させる連結部材とで構成した屋外施設用の屋根ユニットが提案されている。この屋根ユニットでは、屋根天板をシート状の天板シートとこの天板シートを所定間隔で支える複数個の天板ベース棒とで構成し、各天板ベース棒をそれぞれ前記連結部材で天板支持部材に連結し、連結部材を天板支持部材に沿って移動させることで、屋根天板の全部または一部の開口面積を変化させ、屋根天板を展開状態と収納状態に設定可能としている。
【０００５】
【特許文献１】特開２００５−２２０５２号公報
【特許文献２】特開平１１−３２４４１３号公報
【特許文献３】特開２００１−２４１１０９号公報
【発明の開示】
【発明が解決しようとする課題】
【０００６】
しかし、特許文献１では、屋根部分を構成する可撓性シートを開閉できないので、通風状態や採光状態を自由に調整できないという問題がある。
【０００７】
特許文献２、３では、テント布を巻き取り可能に構成したり、あるいは、屋根天板をシート状の天板シートと天板ベース棒とで蛇腹状に構成し、各天板ベース棒を天板支持部材に連結している連結部材を天板支持部材に沿って移動させることにより、屋根部分を開閉可能にしており、これにより通風状態や採光状態を調整できるようにしているが、いずれの場合も開閉構造が複雑で製造コストが高くなるという問題がある。
【０００８】
さらに、特許文献１〜３では、可撓性シートで構成される屋根部分を容易に取り付け、取り外しできないという問題がある。そのため、強風時に取り外して、屋根部分を構成する可撓性シートの破損や飛散を防止することができない。また、積雪や母屋からの落雪などによるこの可撓性シートの破損を防止できない。また、この可撓性シートが汚れても、洗浄できない。また、季節によりこの可撓性シートを交換して模様替えしたり、あるいはこの可撓性シートの生地を気軽に交換したりするなどできない。
【０００９】
本発明は上記事情に鑑みてなされたもので、可撓性シートで構成される屋根部分を容易に開閉できるとともに、容易に取り付け、取り外しができる屋根付き簡易建築物を提供することを目的とする。
【課題を解決するための手段】
【００１０】
前記目的を達成するために、本発明の請求項１に記載の屋根付き簡易建築物は、立設された支柱とこの支柱の上端部から横方向に延びるアーム部とから略逆Ｌ字状に形成されたフレーム部材が間隔をおいて複数個設けられ、これらのフレーム部材の内側に屋根を構成する可撓性シートが張り渡されている屋根付き簡易建築物であり、前記各フレーム部材にはそれぞれ、先端部と先端部から所定間隔をおいた位置とに係止部材が設けられ、これらの係止部材に、索状部材が移動可能に挿通されており、前記可撓性シートは、前記フレーム部材の先端側の端部が前記索状部材に前記係止部材間において着脱自在に取り付けられているとともに、前記フレーム部材の基端側の端部が前記フレーム部材の基端側の係止部材または該係止部材近傍の前記フレーム部材に着脱自在に取り付けられていることを特徴とする。
【００１１】
また、請求項２に記載の屋根付き簡易建築物は、請求項１に記載の発明において、前記フレーム部材の基端側の係止部材は、前記支柱の上端部分に設けられていることを特徴とする。
【発明の効果】
【００１２】
請求項１に記載の屋根付き簡易建築物によれば、屋根を構成する可撓性シートが、フレーム部材の先端側の端部を索状部材に着脱自在に取り付けられているとともに、フレーム部材の基端側の端部をフレーム部材の基端側の係止部材またはこの係止部材近傍のフレーム部材に着脱自在に取り付けられているので、可撓性シートのフレーム部材の先端側の端部を索状部材から取り外すとともに、フレーム部材の基端側の端部をフレーム部材の基端側の係止部材から取り外すだけで、可撓性シートを取り外すことができ、また、可撓性シートのフレーム部材の先端側の端部を索状部材に取り付けるとともに、フレーム部材の基端側の端部をフレーム部材の基端側の係止部材またはこの係止部材近傍のフレーム部材に取り付けるだけで、可撓性シートを取り付けることができる。このように、屋根を構成する可撓性シートを容易に取り付け、取り外しできるので、強風時に取り外して、この可撓性シートが破損したり飛散したりするのを防止することができる。また、雪国において冬期に可撓性シートを取り外して、積雪や母屋からの落雪などによりこの可撓性シートが破損するのを防止できる。また、この可撓性シートが汚れた場合には、洗浄して再び取り付けることも容易である。さらに、季節によりこの可撓性シートを交換して模様替えしたり、あるいはこの可撓性シートの生地を気軽に交換することができる。
【００１３】
さらには、フレーム部材の先端部と先端部から所定間隔をおいた位置とに係止部材が設けられ、これらの係止部材に索状部材が移動可能に挿通され、そして可撓性シートにおけるフレーム部材の先端側の端部が索状部材に係止部材間において取り付けられているとともに、可撓性シートにおけるフレーム部材の基端側の端部がフレーム部材の基端側の係止部材またはこの係止部材近傍のフレーム部材に取り付けられているので、索状部材を先端側の係止部材から基端側の係止部材に向かうように移動させると、可撓性シートにおけるフレーム部材の先端側の端部が基端側の係止部材に接近するように移動して、可撓性シートが次第に大きく垂れ下がって行く。他方、索状部材を基端側の係止部材から先端側の係止部材に向かうように移動させると、可撓性シートにおけるフレーム部材の先端側の端部が基端側の係止部材から離れるように移動して、可撓性シートが次第に平らになって行く。したがって、索状部材を移動させることにより、屋根を構成する可撓性シートの奥行きの寸法を調整することができる。すなわち、屋根の開閉調整をすることができる。このように、索状部材を操作するだけで、屋根を構成する可撓性シートを簡単に開閉調整することができ、これにより通風状態や採光状態を簡単に調整することができる。
【００１４】
請求項２に記載の屋根付き簡易建築物によれば、フレーム部材の基端側の係止部材が支柱の上端部分に設けられているので、該係止部材が支柱の下の方に設けられている場合に比べて、屋根を構成する可撓性シートをフレーム部材に小さな傾きで張り渡すことができる。また、該係止部材がアーム部に設けられている場合に比べて、可撓性シートを基端側の係止部材（または基端側の係止部材近傍のフレーム部材）および索状部材から取り外し、取り付けるのが容易になる。すなわち、基端側の係止部材がアーム部に設けられている場合には、アーム部の高さが高いので、通常、台などに乗り手を伸ばして着脱の作業をしなければならないが、基端側の係止部材が支柱の上端部分に設けられている場合には、索状部材を先端側の係止部材から基端側の係止部材に向かうように移動させて、可撓性シートにおけるフレーム部材の先端側の端部が基端側の係止部材に接近するようにすると、比較的低い位置で、可撓性シートを基端側の係止部材（または基端側の係止部材近傍のフレーム部材）および索状部材から取り外し、取り付けることができるので、作業性が容易になる。
【発明を実施するための最良の形態】
【００１５】
以下、図面を参照しながら本発明の実施の形態について説明する。
図１〜図６は本発明の実施の形態に係る屋根付き簡易建築物を示す図であって、図１は斜視図であり、図２は正面図であり、図３が分解斜視図であり、図４はフレーム部材の基端側の係止部材の部分を示す側面図であり、図５は、係止部材を示す図であり、図６はフック部材を示す図である。
これらの図に示すように、この屋根付き簡易建築物は、複数個（この例では３個）のフレーム部材１と、これらのフレーム部材１の内側に張り渡されて屋根を構成する可撓性シート２とを備えている。
【００１６】
フレーム部材１は、略逆Ｌ字状に形成されて成るもので、下端部を地中に埋設されて立設されている支柱３と、この支柱３の上端部に連結されて、該支柱３の上端部から横方向に延びるアーム部４とを備えている。これら３つのフレーム部材１は、間隔をおいて並列に設置されている。
【００１７】
支柱３とアーム部４とはともに、例えば中空構造を有するアルミニウム合金製の押出形材からなるものである。これらの支柱３とアーム部４とは、略逆Ｌ字状の連結部材５を介して連結されている。すなわち、支柱３の上端面およびアーム部４の基端面は略直交して突合せ接合可能なように斜めに形成されており、そして連結部材５の一方側が支柱３の上端部の内側に挿入されるとともに、他方側にアーム部４の基端部の内側に挿入され、支柱３およびアーム部４の外側から締め付けられたねじ６により支柱３およびアーム部４がそれぞれ連結部材５に固定されている。連結部材５は、支柱３の上端部およびアーム部４の基端部によりほぼ完全に覆われる。支柱３の上端面とアーム部４の基端面との間には、接合部から支柱３およびアーム部４の内部に水が侵入するのを防止するために、パッキン７が介在されている。また、アーム部４の先端面には、キャップ８がねじ９により固定されている。
【００１８】
アーム部４の先端部の下面（内側面）には、係止部材１１がねじ１２により固定されている。また、支柱３の上端部分の正面（内側面；アーム部４側の面）には、係止部材１３がねじ１４により固定されているとともに、下端部分の正面には、係止部材１５がねじ１６により固定されている。係止部材１１、１３はそれぞれ、ロープ（索状部材）１７が挿通可能な係止穴１８、１９を備えているものであり、係止部材１５は、ロープ１７を巻き付け可能なものである。輪状（無端状）のロープ１７は、係止部材１１の係止穴１８および係止部材１３の係止穴１９を挿通され、そして緊張状態にされた後、係止部材１５に巻き付けられたうえで解けないように縛られている。ロープ１７には、係止部材１１と係止部材１３との間に、フック部材２１が取り付けられており、また係止部材１３には、フック部材２２が取り付けられている。
【００１９】
互いに隣接するアーム部４とアーム部４とは、補強フレーム２５により連結されている。すなわち、アーム部４，４の先端部の対向する側面にはそれぞれ、連結金具２６のフランジ部２７がねじ３４１により固定されており、この連結金具２６の筒部２８に、パイプ状の補強フレーム２５の端部が挿入され、筒部２８に外周部からねじ込まれたねじ３２の先端部で補強フレーム２５の外周面が押え付けられている。また、互いに隣接する支柱３同士も、上端部部分において、補強フレーム２５によりアーム部４同士の場合と同様にして連結されている。
【００２０】
可撓性シート２は、例えば、布や合成樹脂などからなるシートであり、日除け等の場合にはメッシュのシートでもよい。この可撓性シート２には、四隅および上下端部の幅方向中央部にそれぞれ、ハトメ（穴部）４１が設けられている。可撓性シート２の上端部（フレーム部材１の先端側の端部）の３つのハトメ４１（鳩目）はそれぞれ、ロープ１７に設けられたフック部材２１に取り付けられ、一方下端部（フレーム部材１の基端側の端部）の３つのハトメ４１はそれぞれ、支柱３に設けられたフック部材２２に取り付けられている。フック部材２１，２２は、例えば、可撓性シート２の端部を押し付けるとその可動片が内側に動き、これによりハトメ４１にフック部材２１，２２が挿入され、ハトメ４１挿入後は前記可動片が戻されて、フック部材２１，２２が輪状に戻るようになっているものが使用される。このようなフック部材２１，２２として、例えば、スナップフックなどが挙げられるが、これに限定されるものではなく、可撓性シート２のハトメ（係止部）４１を引っ掛けて係止できるものであればよい。
【００２１】
このような屋根付き簡易建築物にあっては、屋根を構成する可撓性シート２が、上端部（フレーム部材１の先端側の端部）のハトメ４１をロープ１７のフック部材２１に着脱自在に取り付けられているとともに、下端部（フレーム部材１の基端側の端部）のハトメ４１を支柱３のフック部材２２に着脱自在に取り付けられているので、可撓性シート２の上先端部のハトメ４１をロープ１７のフック部材２１から取り外すとともに、下端部のハトメ４１を支柱３のフック部材２２から取り外すだけで、可撓性シート２を取り外すことができる。また、可撓性シート２の先端部のハトメ４１をロープ１７のフック部材２１に取り付けるとともに、下端部のハトメ４１を支柱３のフック部材２２に取り付けるだけで、可撓性シート２を取り付けることができる。このように、屋根を構成する可撓性シート２を容易に取り付け、取り外しできるので、強風時に取り外して、この可撓性シートが破損したり飛散したりするのを防止することができる。また、雪国において冬期に可撓性シート２を取り外して、積雪や母屋からの落雪などによりこの可撓性シート２が破損するのを防止できる。また、この可撓性シート２が使用により汚れた場合には、洗浄して再び取り付けることも容易である。また、季節によりこの可撓性シートを交換して模様替えしたり、あるいはこの可撓性シートの生地を気軽に交換することができる。
【００２２】
さらに、フレーム部材１の先端部と支柱３の上端部分とにそれぞれ係止部材１１，１３が設けられ、これらの係止部材１１，１３にロープ１７が移動可能に挿通され、そして可撓性シート２の上端部のハトメ４１がロープ１７のフック部材２１に係止部材１１と係止部材１３との間において取り付けられているとともに、可撓性シート２の下端部のハトメ４１が支柱１のフック部材２２に取り付けられているので、ロープ１７を先端側の係止部材１１から基端側の係止部材１３に向かうように移動させると、可撓性シートの上端部が基端側の係止部材１３に接近するように移動して、可撓性シート２が次第に大きく垂れ下がって行く。他方、ロープ１７を基端側の係止部材１３から先端側の係止部材１１に向かうように移動させると、可撓性シート２の上端部が基端側の係止部材１３から離れるように移動して、可撓性シート２が次第に平らになって行く。したがって、ロープ１７を移動させることにより、屋根を構成する可撓性シート２の奥行きの寸法を調整することができる。すなわち、屋根の開閉調整をすることができる。このように、ロープ１７を操作するだけで、屋根を構成する可撓性シートを簡単に開閉調整することができ、したがって通風状態や採光状態を簡単に調整することができる。
【００２３】
さらには、フレーム部材１の基端側の係止部材１３が支柱３の上端部分に設けられているので、該係止部材１３が支柱１の下の方の位置に設けられている場合に比べて、屋根を構成する可撓性シート２をフレーム部材１に小さな傾きで（水平に近くなるように）張り渡すことができる。また、この係止部材１３がアーム部４に設けられている場合に比べて、可撓性シート２を係止部材１３のフック部材２２およびロープ１７のフック部材２１から取り外し、取り付けるのが容易になる。すなわち、基端側の係止部材１３がアーム部４に設けられている場合には、アーム部４の位置が高いので、通常、台などに乗り手を伸ばして着脱の作業をしなければならないが、基端側の係止部材１３が支柱３の上端部分に設けられている場合には、ロープ１７を先端側の係止部材１１から基端側の係止部材１３に向かうように移動させて、可撓性シート２の上端部が基端側の係止部材１３に接近するようにすると、比較的低い位置で、可撓性シート２を基端側の係止部材１３のフック部材２２およびロープ１７のフック部材から取り外し、取り付けることができるので、作業性が良好となる。
【００２４】
なお、前述の実施の形態では、可撓性シート２のハトメ４１をフック部材２１，２２に引っ掛けるようにしたが、可撓性シート２に、例えば輪状の係止部を設け、この係止部をフック部材２１，２２に引っ掛けるようにしてもよい。
また、前述の実施の形態では、可撓性シート２の下端部（フレーム部材１の基端側の端部）のハトメ４１を支柱１の係止部材１３に設けたフック部材２２に取り付けるようにしたが、係止部材１３近傍のフレーム部材１にフック部材等を設け、このフック部材等に可撓性シート２の下端部のハトメ４１を着脱自在に取り付けるようにしてもよい。
また、前述の実施の形態では、ロープ（索状部材）１７として輪状のものを用いたが、例えば下方側が開放していてもよい。
【００２５】
また、前述の実施の形態では、フレーム部材１が３本のものについて説明したが、例えば、フレーム部材１が２本のものなどでもよい。
さらに、前述の実施の形態の屋根付き簡易建築物を先端部を建物の壁等に突き当てて設置するようにしてもよいし、あるいは前述の実施の形態の屋根付き簡易建築物を２個、先端部を付き合せて設置するようにしてもよいし、あるいは前述の実施の形態の屋根付き簡易建築物を２個、横に並べて設置するようにしてもよい。
また、前述の実施の形態では、フレーム部材１を横に並列に並べたが、これらのフレーム部材を例えば、円弧状に並べるようにしてもよい。
【産業上の利用可能性】
【００２６】
本発明は、例えば、カーポート、テラス、バルコニー、パーゴラ、サイクルポート等のほか、アーケード、アプローチ、バス停や公共の休憩場所などに設けられた雨除けあるいは日除け等の屋根付き簡易建築物に適用することができる。
【図面の簡単な説明】
【００２７】
【図１】本発明の実施の形態に係る屋根付き簡易建築物を示す図であって、斜視図である。
【図２】同、正面図である。
【図３】同、分解斜視図である。
【図４】同、フレーム部材の基端側の係止部材の部分を示す側面図である。
【図５】同、係止部材を示す図であって、（ａ）は平面図、（ｂ）は側面図である。
【図６】同、フック部材を示す図であって、（ａ）は閉止状態の正面図、（ｂ）は開放状態の正面図である。
【符号の説明】
【００２８】
１    フレーム部材
２    可撓性シート
３    支柱
４    アーム部
１１，１３    係止部材
１７    ロープ（索状部材）
【図１】
2007270495.tif 000003
【図２】
2007270495.tif 000004
【図３】
2007270495.tif 000005
【図４】
2007270495.tif 000006
【図５】
2007270495.tif 000007
【図６】
2007270495.tif 000008